【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
ラッチ回路であって、
第１の回路であって、
第１駆動クロック信号の電圧における第１の変化に反応して、前記第１駆動クロック信号によって、第１のノードを充電または放電し、
データ電圧に基づいて、前記第１の変化とは反対の、前記第１駆動クロック信号の前記電圧における第２の変化に反応して、前記第１駆動クロック信号によって、前記第１のノードを選択的に放電または充電するように構成される、第１の回路と、
前記第１の回路に結合された第２の回路であって、
第２駆動クロック信号の前記電圧における第１の変化に反応して、前記第２駆動クロック信号によって、デュアルアクチュエータ光変調器のアクチュエータに結合された第２のノードを充電または放電し、
前記第１のノードの前記電圧に基づいて、前記第１の変化とは反対の、前記第２駆動クロック信号の前記電圧における第２の変化に反応して、前記第２駆動クロック信号によって、前記第２のノードを選択的に放電または充電するように構成される第２の回路とを備え、
前記第２駆動クロック信号の前記電圧における前記第２の変化は、前記第１駆動クロック信号の前記電圧における前記第２の変化の後に発生する、ラッチ回路。
【請求項２】
前記第１の回路および前記第２の回路における全てのトランジスタが同じ導電型である、請求項１に記載のラッチ回路。
【請求項３】
前記導電型はＰ型である、請求項２に記載のラッチ回路。
【請求項４】
前記第１の回路は、前記第１のノードと、前記第１駆動クロック信号を供給する第１ラッチ制御線との間に接続されたダイオードを使用して、前記第１駆動クロック信号の前記電圧における前記第１の変化に反応して、前記第１駆動クロック信号によって、前記第１のノードを充電または放電するように構成される、請求項１に記載のラッチ回路。
【請求項５】
前記第１の回路は、前記第１のノードと、前記第１駆動クロック信号を供給する第１ラッチ制御線との間に接続された第１のトランジスタを使用して、前記第１の変化とは反対の、前記第１駆動クロック信号の前記電圧における第２の変化に反応して、前記第１駆動クロック信号によって、前記第１のノードを選択的に放電または充電するように構成され、前記第１のトランジスタの状態は、前記データ電圧に基づいて決定される、請求項１に記載のラッチ回路。
【請求項６】
前記第２の回路は、前記第２のノードと、前記第２駆動クロック信号を供給する第２のラッチ制御線との間に接続された第２のトランジスタを使用して、前記第２駆動クロック信号の前記電圧における第１の変化に反応して、前記第２駆動クロック信号によって、デュアルアクチュエータ光変調器の前記アクチュエータに結合された前記第２のノードを充電または放電するように構成される、請求項１に記載のラッチ回路。
【請求項７】
前記第１駆動クロック信号の最も高い電圧レベルは、前記第２のトランジスタの閾値電圧を２倍することによる前記第２駆動クロック信号の最も高い電圧レベルよりも大きいか、または、前記第１駆動クロック信号の最も低い電圧レベルは、前記第２のトランジスタの前記閾値電圧の２倍することによる前記第２駆動クロック信号の前記最も低い電圧レベルよりも小さい、請求項６に記載のラッチ回路。
【請求項８】
前記第２の回路は、前記第２のトランジスタを使用して、前記第１の変化とは反対の、前記第２駆動クロック信号の前記電圧における前記第２の変化に反応して、前記第２のノードを選択的に放電または充電するように構成され、前記第２のトランジスタの状態は、前記第１のノード上の電圧に基づいて決定される、請求項６に記載のラッチ回路。
【請求項９】
前記ラッチ回路は、
前記第２のノードと、前記デュアルアクチュエータ光変調器の前記アクチュエータとの間に結合された第３のトランジスタであって、前記トランジスタのゲート端子は、前記第１のノードに結合される、第３のトランジスタと、
前記第１のノードと、前記第２のノードとの間に接続された容量とをさらに含み、
前記第１駆動クロック信号の最も高い電圧レベルは、前記第２駆動クロック信号の最も高い電圧レベルと実質的に等しいか、または、前記第１駆動クロック信号の最も低い電圧レベルは、前記第２駆動クロック信号の最も低い電圧レベルと実質的に等しい、請求項１に記載のラッチ回路。
【請求項１０】
第１のアクチュエータと第２のアクチュエータとを有するデュアルアクチュエータ光変調器を作動させるための方法であって、前記第１のアクチュエータはラッチ回路の第２のノードに結合され、
第１駆動クロック信号の電圧における第１の変化に反応して、前記第１駆動クロック信号によって、ラッチ回路の第１のノードを充電または放電するステップと、
第２駆動クロック信号の電圧における第１の変化に反応して、前記第２駆動クロック信号によって、デュアルアクチュエータ光変調器の第１のアクチュエータに結合された、前記ラッチ回路の第２のノードを充電または放電するステップと、
前記光変調器の状態に対応するデータ電圧に基づいて、前記第１の変化とは反対の、前記第１駆動クロック信号の前記電圧における第２の変化に反応して、前記第１駆動クロック信号によって、前記第１のノードを選択的に放電または充電するステップと、
前記第１のノードの前記電圧に基づいて、前記第１の変化とは反対の、前記第２駆動クロック信号の前記電圧における第２の変化に反応して、前記第２駆動クロック信号によって、前記第２のノードを選択的に放電または充電するステップとを含み、前記第２駆動クロック信号の前記電圧における前記第２の変化は、前記第１駆動クロック信号の前記電圧における前記第２の変化の後に発生する、方法。
【請求項１１】
前記ラッチ回路における全てのトランジスタが同じ導電型である、請求項１０に記載の方法。
【請求項１２】
前記導電型はＰ型である、請求項１１に記載の方法。
【請求項１３】
前記第１駆動クロック信号の前記電圧における第１の変化に反応して、第１駆動クロック信号によって、ラッチ回路の第１のノードを充電または放電するステップは、前記第１のノードと、前記第１駆動クロック信号を供給する第１ラッチ制御線との間に接続されたダイオードを使用して、前記第１駆動クロック信号によって、前記第１のノードを充電または放電するステップを含む、請求項１０に記載の方法。
【請求項１４】
前記光変調器の状態に対応するデータ電圧に基づいて、前記第１の変化とは反対の、前記第１駆動クロック信号の前記電圧における第２の変化に反応して、前記第１駆動クロック信号によって、前記第１のノードを選択的に放電または充電するステップは、前記第１のノードと、前記第１駆動クロック信号を供給する第１ラッチ制御線との間に接続された第１のトランジスタを使用して、前記第１駆動クロック信号によって、前記第１のノードを選択的に放電または充電するステップを含み、前記第１のトランジスタの前記状態は、前記データ電圧に基づいて決定される、請求項１０に記載の方法。
【請求項１５】
前記第２駆動クロック信号の前記電圧における第１の変化に反応して、第２駆動クロック信号によって、デュアルアクチュエータ光変調器の第１のアクチュエータに結合された、前記ラッチ回路の第２のノードを充電または放電するステップは、前記第２のノードと、前記第２駆動クロック信号を供給する第２のラッチ制御線との間に接続された第２のトランジスタを使用して、前記第２駆動クロック信号によって、前記ラッチ回路の前記第２のノードを充電または放電するステップを含む、請求項１０に記載の方法。
【請求項１６】
前記第１駆動クロック信号の最も高い電圧が前記第２のトランジスタの閾値電圧を２倍することによる前記第２駆動クロック信号の最も高い電圧よりも大きいように、または、前記第１駆動クロック信号の最も低い電圧が、前記第２のトランジスタの前記閾値電圧を２倍することによる前記第２駆動クロック信号の最も低い電圧よりも低いように、前記第１駆動クロック信号の前記電圧における前記第１の変化を引き起こすステップと、前記第２駆動クロック信号の前記電圧における前記第１の変化を引き起こすステップをさらに含む、請求項１５に記載の方法。
【請求項１７】
前記第１のノードの前記電圧に基づいて、前記第１の変化とは反対の、前記第２駆動クロック信号の前記電圧における第２の変化に反応して、前記第２駆動クロック信号によって、前記第２のノードを選択的に放電または充電するステップは、前記第２のトランジスタを使用して、前記第２駆動クロック信号によって、前記第２のノードを選択的に放電または充電するステップを含み、前記第２のトランジスタの前記状態は、前記第１のノード上の電圧に基づいて決定される、請求項１５に記載の方法。
【請求項１８】
容量を介して前記第１のノードで前記電圧に結合されるように、前記第２のノード上の前記電圧を発生させるステップと、
第３のトランジスタの前記状態が、前記第１のノードの前記電圧に基づいて決定されるように、前記第３のトランジスタを使用して、前記第２のノードを前記第１のアクチュエータに選択的に結合するステップと、
前記第１駆動クロック信号の最も高い電圧が前記第２駆動クロック信号の最も高い電圧と実質的に等しいように、または、前記第１駆動クロック信号の最も低い電圧が前記第２駆動クロック信号の最も低い電圧と実質的に等しいように、前記第１駆動クロック信号の前記電圧における前記第１の変化を引き起こすステップと、前記第２駆動クロック信号の前記電圧における前記第１の変化を引き起こすステップとをさらに含む、請求項１０に記載の方法。